(57)【要約】【課題】ＥＰＧを使用した録画予約の際に、番組や記録メディアの容量情報を容易に把握することができる記録装置を提供する。【解決手段】ステップＳ２１０では、メディア情報画面構築部１８は、選択された番組の録画に必要な容量が該当メディアの空き容量よりも大きいか否かを判断し、大きい場合には、ステップＳ２２０に進み、そうでない場合には、ステップＳ２３０に進む。ステップＳ２２０では、メディア情報画面構築部１８は、メッセージを表示し、ステップＳ２４０に進む。ステップＳ２３０では、メディア情報画面構築部１８は、記録容量バーグラフを作成して表示し、ステップＳ２４０に進む。【選択図】図３
2008035342.tif 000002
【特許請求の範囲】
【請求項１】
ＥＰＧ（Ｅｌｅｃｔｒｏｎｉｃ  Ｐｒｏｇｒａｍ  Ｇｕｉｄｅ：電子番組ガイド）を出力する表示制御手段と、ユーザー入力手段により選択された前記ＥＰＧ内の番組を録画予約する手段とを備え、
記録メディアに前記録画予約された番組を録画する記録装置であって、
前記記録メディアに既に録画されている番組の容量（記録済み容量）及び録画可能な容量（空き容量）を検出する手段と、
既に録画予約されている番組の録画に必要な容量（予約済み番組容量）を算出する手段と、
前記ユーザー入力手段により録画予約する番組が選択された際に、この録画予約する番組の録画に必要な容量（番組録画容量）を算出する手段とを備え、
前記番組録画容量が前記空き容量より大きい場合には、前記表示制御手段は前記ＥＰＧとともに空き容量が不足していることを示すメッセージを出力し、
前記番組録画容量が前記空き容量より小さい場合には、前記表示制御手段はＥＰＧとともに前記記録済み容量と前記予約済み容量と前記番組録画容量と前記空き容量とを出力することを特徴とする記録装置。
【請求項２】
前記番組録画容量が前記空き容量より小さい場合には、前記表示制御手段は、前記記録済み容量と前記予約済み容量と前記番組録画容量と前記空き容量とをバーグラフ表示で出力することを特徴とする請求項１に記載の記録装置。
【請求項３】
前記ユーザー入力手段により録画予約する番組が選択される毎に、前記番組録画容量を算出しなおし、前記表示制御手段の出力内容を更新することを特徴とする請求項１又は２に記載の記録装置。
【請求項４】
ＥＰＧを出力する表示制御手段と、ユーザー入力手段により選択された前記ＥＰＧ内の番組を録画予約する手段とを備え、
記録メディアに前記録画予約された番組を録画する記録装置であって、
前記記録メディアに録画可能な容量（空き容量）を検出する手段と、
前記ＥＰＧ内の番組毎に録画に必要な容量を算出する手段とを備え、
前記ＥＰＧは、録画に必要な容量が前記空き容量よりも大きい番組を、他の番組と異なる色で表したことを特徴とする記録装置。
【発明の詳細な説明】
【技術分野】
【０００１】
本発明は、記録装置に関し、より詳しくは、ＨＤＤ（Ｈａｒｄ  Ｄｉｓｋ  Ｄｒｉｖｅ：ハードディスクドライブ）、ＤＶＤやＣＤのようなディスク、メモリカードのような半導体メモリ等の記録メディアにテレビジョン放送の番組を予約録画する記録装置に関する。
【背景技術】
【０００２】
近年、様々な記録メディアに記録可能な記録装置が発売されている。この記録メディアとしては、記録装置自体に内蔵されたＨＤＤ、ＤＶＤやＣＤのようなディスク、メモリカードのような半導体メモリ等が使用されている。
【０００３】
また、ＥＰＧ（Ｅｌｅｃｔｒｏｎｉｃ  Ｐｒｏｇｒａｍ  Ｇｕｉｄｅ：電子番組ガイド）を使用して番組の録画予約を行う記録装置も発売されている。記録装置は、先ず、放送局から放送波とともに送信される番組情報を受信し、番組表の形式に変換して画面表示する。そして、ユーザーが、リモコンに備えられた方向キー（上キー、下キー、左キー、右キー）と決定キーとを用いて番組を選択すると、その番組の録画予約が行われる。
【０００４】
所で、録画に必要な容量が記録メディアの空き容量よりも大きい番組を録画予約した場合、番組全部が録画されず、録画は失敗してしまう。このため、録画予約の際に、ユーザーは、記録メディアの空き容量を把握していなければならない。しかし、ユーザーが常に記録メディアの空き容量を記憶しているのは煩わしい。特に、複数の記録メディアを使用する場合は、各記録メディアの空き容量を全て記憶するのは困難である。
【０００５】
特許文献１には、録画予約をしたい番組を選択（指定）すると、その番組が記録メディアの空き容量に収まるか否かを判断し、その判断結果に応じた容量情報が記載された画面を表示する技術が開示されている。この技術によれば、ユーザーは、記録メディアの空き容量を記憶することなしに、記録メディアの空き容量を把握することができる。
【０００６】
【特許文献１】特開２０００−３０３６５号公報
【発明の開示】
【発明が解決しようとする課題】
【０００７】
さて、予約録画したい番組が同じ時間帯に幾つか重なったため、その中から録画予約する番組を選択しなければならない場合がある。この場合、重なっている複数の番組について、記録メディアの空き容量に収まるかを確認する必要がある。
【０００８】
特許文献１に開示されている技術を用いた記録装置では、ユーザーは、各番組について、逐次、番組を指定し、その容量情報を表示させて確認していくことになる。しかし、容量情報表示の度に、画面が切り替わるため、ユーザーは、全番組について、容量情報を記憶するか、又は紙に書きとめるかしなければならず、大変煩わしいという問題があった。
【０００９】
また、記録メディアの空き容量が小さいにもかかわらず、優先して予約録画したい番組があり、既に録画予約されている番組の幾つかについて予約の取り消しを判断しなければならない場合がある。この場合、既に録画予約されている番組の容量を確認する必要がある。
【００１０】
特許文献１に開示されている技術を用いた記録装置では、既に録画予約されている番組の容量は表示されないため、予約の取り消しの判断が難しいという問題があった。
【００１１】
このため、ＥＰＧを使用した録画予約の際に、容量情報を把握し易い記録装置が望まれていた。
【００１２】
本発明は、上述の問題点に鑑みてなされたものであり、録画予約の際に、番組や記録メディアの容量情報をＥＰＧとともに１つの画面に表示することで、これらの容量情報を容易に把握することができる記録装置を提供することを目的とする。
【課題を解決するための手段】
【００１３】
請求項１に記載の記録装置は、ＥＰＧ（Ｅｌｅｃｔｒｏｎｉｃ  Ｐｒｏｇｒａｍ  Ｇｕｉｄｅ：電子番組ガイド）を出力する表示制御手段と、ユーザー入力手段により選択された前記ＥＰＧ内の番組を録画予約する手段とを備え、記録メディアに前記録画予約された番組を録画する記録装置であって、前記記録メディアに既に録画されている番組の容量（記録済み容量）及び録画可能な容量（空き容量）を検出する手段と、既に録画予約されている番組の録画に必要な容量（予約済み番組容量）を算出する手段と、前記ユーザー入力手段により録画予約する番組が選択された際に、この録画予約する番組の録画に必要な容量（番組録画容量）を算出する手段とを備え、前記番組録画容量が前記空き容量より大きい場合には、前記表示制御手段は前記ＥＰＧとともに空き容量が不足していることを示すメッセージを出力し、前記番組録画容量が前記空き容量より小さい場合には、前記表示制御手段はＥＰＧとともに前記記録済み容量と前記予約済み容量と前記番組録画容量と前記空き容量とを出力することを特徴とする。
【００１４】
請求項１に記載の記録装置によれば、録画予約の際に、記録メディアの容量情報がＥＰＧとともに１つの画面に表示されるため、記録メディアの容量情報を容易に把握することができる。
【００１５】
請求項２に記載の記録装置は、請求項１において、前記番組録画容量が前記空き容量より小さい場合には、前記表示制御手段は、前記記録済み容量と前記予約済み容量と前記番組録画容量と前記空き容量とをバーグラフ表示で出力することを特徴とする。
【００１６】
請求項２に記載の記録装置によれば、各種容量がバーグラフで表示されるため、容量情報を更に容易に把握することができる。
【００１７】
請求項３に記載の記録装置は、請求項１又は２において、前記ユーザー入力手段により録画予約する番組が選択される毎に、前記番組録画容量を算出しなおし、前記表示制御手段の出力内容を更新することを特徴とする。
【００１８】
請求項３に記載の記録装置によれば、録画予約する番組として選択されている番組が更新される度に、記録メディアの容量情報が更新されるため、最新の記録メディアの容量情報を即座に把握することができる。
【００１９】
請求項４に記載の記録装置は、ＥＰＧを出力する表示制御手段と、ユーザー入力手段により選択された前記ＥＰＧ内の番組を録画予約する手段とを備え、記録メディアに前記録画予約された番組を録画する記録装置であって、前記記録メディアに録画可能な容量（空き容量）を検出する手段と、前記ＥＰＧ内の番組毎に録画に必要な容量を算出する手段とを備え、前記ＥＰＧは、録画に必要な容量が前記空き容量よりも大きい番組を、他の番組と異なる色で表したことを特徴とする。
【００２０】
請求項４に記載の記録装置によれば、録画予約の際に、ＥＰＧ内で、録画に必要な容量が空き容量よりも大きい番組が他の番組と異なる色で表示されるため、空き領域が不足する番組を容易に把握することができる。
【発明の効果】
【００２１】
本発明によれば、録画予約の際に、記録メディアの容量情報をＥＰＧとともに１つの画面に表示することで、番組や記録メディアの容量情報を容易に把握できる記録装置を提供することができる。更に、本発明によれば、各種容量がバーグラフで表示されるため、容量情報を更に容易に把握することができる。更に、本発明によれば、録画予約する番組として選択されている番組が更新される度に、記録メディアの容量情報が更新されるため、最新の記録メディアの容量情報を即座に把握することができる。更に、本発明によれば、録画予約の際に、ＥＰＧ内で、録画に必要な容量が空き容量よりも大きい番組が他の番組と異なる色で表示されるため、空き領域が不足する番組を容易に把握することができる。従って、ユーザーは録画予約操作や、録画に使用する記録メディアの選択を容易に行うことができる。
【発明を実施するための最良の形態】
【００２２】
本発明の実施の形態を、図面を参照して説明する。なお、以下の実施例は本発明の具体例に過ぎず、本発明が以下の実施形態に限定されるものではない。
【００２３】
図１は、本実施例の記録装置の構成を示すブロック図である。記録装置１は、ＥＰＧ受信部１１、ＥＰＧデコード部１２、ＥＰＧ構築部１３、ユーザー入力処理部１４、録画容量算出部１５、録画装置制御部１６、記録容量管理部１７、メディア情報画面構築部１８、予約情報記録部１９、予約情報管理部２０、表示制御部２１を備える。
【００２４】
ＥＰＧ送信部５（通常は、放送局）から送信されたＥＰＧ情報は、ＥＰＧ受信部１１で受信され、ＥＰＧデコード部１２で復号される。ＥＰＧ構築部１３は、ＥＰＧデコード部１２から、各番組の放送時刻やビットレート等を取得し、ＥＰＧを作成する。
【００２５】
ユーザー入力装置２（通常は、リモコン）は、ユーザーがＥＰＧから録画予約する番組を選択ために操作したコマンドを送信し、ユーザー入力処理部１４は、このコマンドを受信する。ＥＰＧ構築部１３は、ユーザー入力処理部１４から、コマンドを取得し、録画予約する番組を設定する。録画予約する番組が決定すると、その予約情報は、予約情報記録部１９に記憶される。
【００２６】
録画容量算出部１５は、ＥＰＧ構築部１３から、各番組の放送時刻から算出した放送時間とビットレートとを取得し、録画に必要な容量を算出する。録画装置制御部１６は、記録メディア１（４−１）、・・・、記録メディアｎ（４−ｎ）の中の予約録画に使用するものについて既に録画されている番組の容量（記録済み容量）及び録画可能な容量（空き容量）を検出する。予約情報管理部２０は、予約情報記録部１９から録画予約されている全ての番組の録画に必要な容量（予約済み番組容量）を算出する。
【００２７】
記録容量管理部１７は、録画容量算出部１５から録画予約する番組の録画に必要な容量（番組録画容量）を取得し、録画装置制御部１６から記録済み容量及び空き容量を取得し、予約情報管理部２０から予約済み番組容量を取得する。
【００２８】
ＥＰＧ構築部１３は、録画容量算出部１５から番組毎に録画に必要な容量を取得し、記録容量管理部１７から空き容量を取得する。録画に必要な容量が空き容量よりも大きい番組は、他の番組と異なる色で表される。
【００２９】
メディア情報画面構築部１８は、記録容量管理部１７から、記録済み容量、空き容量、予約済み番組容量、及び番組録画容量を取得する。番組録画容量が空き容量より大きい場合には、メディア情報画面構築部１８は、記録メディアの変更、及び録画ビットレートの変更を促すメッセージを作成する。番組録画容量が空き容量より大きい場合には、メディア情報画面構築部１８は、記録済み容量、空き容量、予約済み番組容量、及び番組録画容量を表すバーグラフ（以下、記録容量バーグラフと言う）を作成する。
【００３０】
表示制御部２１は、ＥＰＧ構築部１３及びメディア情報画面構築部１８で作成された画像を合成し、表示部３（通常は、モニタ）に出力する。そして、この記録装置１は、予約情報記録部１９に記録された録画予約情報に従い、図示しないチューナーで受信した番組を記録メディアに録画する。
【００３１】
このような構成により、特許請求の範囲に記載した、表示制御手段、ＥＰＧ内の番組を録画予約する手段、記録済み容量及び空き容量を検出する手段、予約済み番組容量を算出する手段、番組録画容量を算出する手段、番組毎に録画に必要な容量を算出する手段を実現できる。
【００３２】
図２及び図３は、本実施例における処理を示すフローチャートである。ＥＰＧによる録画予約が開始されると、このフローチャートが開始される。
【００３３】
ステップＳ１１０では、記録容量管理部１７は、録画を行う記録メディア（該当メディアと記載）の記録済み容量と空き容量を取得しているか否かを判断し、取得している場合は、ステップＳ１３０に進み、そうでない場合は、ステップＳ１２０に進む。ステップＳ１２０では、記録容量管理部１７は、該当記録メディアの記録済み容量と空き容量を取得し、ステップＳ１３０に進む。
【００３４】
ステップＳ１３０では、録画容量算出部１５は、番組の録画に必要な容量を取得しているか否かを判断し、取得している場合は、ステップＳ１５０に進み、そうでない場合は、ステップＳ１４０に進む。ステップＳ１４０では、録画容量算出部１５は、番組毎に放送時間とビットレートから録画に必要な容量を算出し、ステップＳ１５０に進む。
【００３５】
ステップＳ１５０では、記録容量管理部１７は、該当メディアの予約済み番組容量を取得しているか否かを判断し、取得している場合は、ステップＳ１７０に進み、そうでない場合は、ステップＳ１６０に進む。ステップＳ１６０では、記録容量管理部１７は、該当記録メディアの予約済み番組容量を取得し、ステップＳ１７０に進む。
【００３６】
ステップＳ１７０では、ＥＰＧ構築部１３がＥＰＧを作成し、ステップＳ１８０に進む。ステップＳ１８０では、ＥＰＧ構築部１３は、ＥＰＧ内に、録画に必要な容量が空き容量よりも大きい番組があるか否かを判断し、ある場合は、ステップＳ１９０に進み、そうでない場合は、ステップＳ２００に進む。ステップＳ１９０では、ＥＰＧ構築部１３は、録画に必要な容量が空き容量よりも大きい番組の色を変更し、ステップＳ２００に進む。
【００３７】
ステップＳ２００では、表示制御部２１が表示部３にＥＰＧを出力し、ステップＳ２１０に進む。
【００３８】
ステップＳ２１０では、メディア情報画面構築部１８は、選択された番組の録画に必要な容量が該当メディアの空き容量よりも大きいか否かを判断し、大きい場合には、ステップＳ２２０に進み、そうでない場合には、ステップＳ２３０に進む。ステップＳ２２０では、メディア情報画面構築部１８は、記録メディアの変更及び録画ビットレートの変更を促すメッセージを表示し、ステップＳ２４０に進む。ステップＳ２３０では、メディア情報画面構築部１８は、記録容量バーグラフを作成して表示し、ステップＳ２４０に進む。
【００３９】
ステップＳ２４０では、録画予約する番組として選択されている番組を変更するか否かを判断し、変更する場合は、ステップＳ２５０に進み、そうでない場合は、ステップＳ２６０に進む。ステップＳ２５０では、録画予約する番組を変更し、ステップＳ２１０に進む。
【００４０】
ステップＳ２６０では、録画ビットレートを変更するか否かを判断し、変更する場合は、ステップＳ２７０に進み、そうでない場合は、ステップＳ２９０に進む。ステップＳ２７０では、該当番組の録画ビットレートを変更し、ステップＳ２８０に進む。ステップＳ２８０では、録画に必要な記録容量をリセットし、ステップＳＳ１１０に進む。
【００４１】
ステップＳ２９０では、記録メディアを変更するか否かを判断し、変更する場合は、ステップＳ３００に進み、そうでない場合は、ステップＳ３２０に進む。ステップＳ３００では、記録メディアを変更し、ステップＳ３１０に進む。ステップＳ３１０では、記録メディアの記録済み容量、空き容量、予約済み番組容量をリセットし、ステップＳ１１０に進む。
【００４２】
ステップＳ３２０では、選択されている番組を録画予約するか否かを判断し、録画予約する場合は、ステップＳ３３０に進み、そうでない場合は、「終了」に進む。ステップＳ３３０では、予約情報記録部１９のデータを更新し、「終了」に進む。
【００４３】
図４は、本実施例の画面表示を示す図である。表示領域６は、ＥＰＧを表示するＥＰＧ領域７と、記録容量バーグラフを表示するバーグラフ領域８とから構成される。同図では、録画予約する番組として、番組２（７２）が選択されており、記録メディアとしてＨＤＤ（８９）が選択されている。番組２（７２）の録画に必要な容量が、ＨＤＤの空き容量よりも小さい場合、記録済み容量８１、予約済み番組容量８２、番組録画容量８３、空き容量８４を示す記録容量バーグラフ８０が、バーグラフ領域８に表示される。
【００４４】
図５は、本実施例の画面表示を示す図である。表示領域６は、ＥＰＧを表示するＥＰＧ領域７と、記録容量バーグラフを表示するバーグラフ領域８とから構成される。同図では、録画予約する番組として、番組６（７３）が選択されており、記録メディアとしてＨＤＤ（８９）が選択されている。番組６（７３）の録画に必要な容量が、ＨＤＤの空き容量よりも大きい場合、メッセージ８５がバーグラフ領域８に表示される。
【００４５】
図６は、本実施例の画面表示を示す図である。表示領域６は、ＥＰＧを表示するＥＰＧ領域７と、記録容量バーグラフを表示するバーグラフ領域８とから構成される。同図では、録画予約する番組として、番組２（７２）が選択されており、記録メディアとしてＨＤＤ（８９）が選択されている。番組２（７２）の録画に必要な容量が、ＨＤＤの空き容量よりも小さい場合、記録済み容量８１、予約済み番組容量８２、番組録画容量８３、空き容量８４を示す記録容量バーグラフ８０が、バーグラフ領域８に表示される。更に、録画に必要な容量が空き容量よりも大きい番組（番組６（７４））は、他の番組（７１）と異なる色で表示される。
【００４６】
以上述べたように、本発明では、録画予約の際に、番組や記録メディアの容量情報をＥＰＧとともに１つの画面に表示することで、これらの容量情報を容易に把握することができる記録装置を提供することができる。
【００４７】
なお、上述の実施例では、ＥＰＧを表示するＥＰＧ領域の下方に、記録容量バーグラフを表示するバーグラフ領域を配置したが、ＥＰＧ領域の上方、右側、左側の何れかにバーグラフ領域を配置するようにしても良い。
【００４８】
また、上述の実施例では、バーグラフの幅（図４、図６におけるバーグラフの上下方向の幅）は全て等しいが、バーグラフの幅が等しくなく、例えば、空き容量を示す部分の幅のみを大きくして強調表示したバーグラフであっても良い。
【００４９】
また、上述の実施例では、バーグラフによって容量を表示したが、他の形態のグラフ（例えば、円グラフ、等）で表示しても良い。
【００５０】
また、上述の実施例では、バーグラフによって容量を表示したが、数字で表示しても良い。この場合の容量は、記憶容量の単位（例えば、バイトやビット、等）で表示しても良いし、時間の単位（例えば、分や秒、等）で表示しても良い。
【図面の簡単な説明】
【００５１】
【図１】本発明の実施例の構成を示すブロック図である。
【図２】本発明の実施例の処理を示すフローチャートである。
【図３】本発明の実施例の処理を示すフローチャートである。
【図４】本発明の実施例の画面表示を示す図である。
【図５】本発明の実施例の画面表示を示す図である。
【図６】本発明の実施例の画面表示を示す図である。
【符号の説明】
【００５２】
１  記録装置
２  ユーザー入力装置
３  表示部
４−１，・・・，４−ｎ  記録メディア
５  ＥＰＧ送信部
６  表示領域
７  ＥＰＧ領域
８  バーグラフ領域
１１  ＥＰＧ受信部
１２  ＥＰＧデコード部
１３  ＥＰＧ構築部
１４  ユーザー入力処理部
１５  録画容量算出部
１６  録画装置制御部
１７  記録容量管理部
１８  メディア情報画面構築部
１９  予約情報記録部
２０  予約情報管理部
２１  表示制御部
７１，７２，７３，７４  番組
８０  記録容量バーグラフ
８１  記録済み容量
８２  予約済み番組容量
８３  番組録画容量
８４  空き容量
８５  メッセージ
８９  記録メディアを示す表示
【図１】
2008035342.tif 000003
【図２】
2008035342.tif 000004
【図３】
2008035342.tif 000005
【図４】
2008035342.tif 000006
【図５】
2008035342.tif 000007
【図６】
2008035342.tif 000008